(57)【要約】【課題】境界部分の露光ムラを緩和するための調整を簡易に行える技術を提供する。【解決手段】描画装置１では、光学ユニット４０が備える複数の変調単位４４２の配列方向における位置と出射率との関係を規定する出射率関数の形状タイプを、複数の形状タイプ候補の中から選択する選択操作を受け付ける。そして、受け付けた形状タイプに応じて、複数の変調単位４４２のそれぞれの出射率を調整する。そして、光学ユニット４０から、断面が帯状の描画光を出射させながら、光学ユニット４０を、描画光の長幅方向と直交する方向に沿って基板Ｗに対して相対的に移動させて、基板Ｗに対する描画処理を実行する。【選択図】図１２
2014066954.tif 000002
【特許請求の範囲】
【請求項１】
感光材料が形成された基板に光を照射して前記基板にパターンを描画する描画装置であって、
断面が帯状の描画光を出射しながら、前記描画光の長幅方向と直交する方向に沿って前記基板に対して相対的に移動する、光学ユニットと、
前記描画光の長幅方向に沿う光量の分布を調整する調整部と、
を備え、
前記光学ユニットが、
断面が帯状の光を出射する光源部と、
一列に配列された複数の変調単位を備え、前記光源部から出射された光を、その長幅方向を前記複数の変調単位の配列方向に沿わせるようにして前記複数の変調単位に入射させるとともに、前記複数の変調単位に当該入射した光を変調させて、前記描画光を形成する、空間光変調部と、
備え、
前記調整部が、
前記変調単位への入射光量に対する出射光量の比を出射率として、前記変調単位の配列方向における位置と前記出射率との関係を規定する出射率関数の形状タイプを、複数の形状タイプ候補の中から選択する選択操作を受け付ける、受付部と、
前記受付部が受け付けた形状タイプに応じて、前記複数の変調単位それぞれの前記出射率を調整する出射率調整部と、
を備える、描画装置。
【請求項２】
請求項１に記載の描画装置であって、
前記複数の形状タイプ候補に、階段型が含まれ、
前記階段型が、
前記出射率が一定の中央部分と、前記中央部分と連なり、前記出射率が階段状に変化する変化部分とを含んで構成される、
描画装置。
【請求項３】
請求項２に記載の描画装置であって、
前記受付部が、
前記階段型が選択された場合に、前記変化部分の幅の指定を受け付ける、
描画装置。
【請求項４】
請求項２または３に記載の描画装置であって、
前記受付部が、
前記階段型が選択された場合に、前記変化部分の前記出射率の指定を受け付ける、
描画装置。
【請求項５】
請求項１から４のいずれかに記載の描画装置であって、
前記複数の形状タイプ候補に、台形型が含まれ、
前記台形型が、
前記出射率が一定の中央部分と、前記中央部分と連なり、前記出射率が傾斜状に変化する変化部分とを含んで構成される、
描画装置。
【請求項６】
請求項５に記載の描画装置であって、
前記受付部が、
前記台形型が選択された場合に、前記変化部分内の１以上の代表位置のそれぞれにおける前記出射率の指定を受け付ける、
描画装置。
【請求項７】
請求項１から６のいずれかに記載の描画装置であって、
前記受付部が、
前記複数の形状タイプ候補を一覧表示した受付画面を、定められた表示装置に表示させるとともに、前記受付画面を介して前記選択操作を受け付ける、
描画装置。
【請求項８】
請求項１から７のいずれかに記載の描画装置であって、
前記調整部が、
前記受付部が受け付けた情報を、前記基板にパターンを描画する処理の処理条件と対応付けて登録する登録部、
をさらに備える、描画装置。
【請求項９】
感光材料が形成された基板に光を照射して前記基板にパターンを描画する描画方法であって、
ａ）光学ユニットから断面が帯状の描画光を出射させながら、前記光学ユニットを前記描画光の長幅方向と直交する方向に沿って前記基板に対して相対的に移動させる工程と、
ｂ）前記描画光の長幅方向に沿う光量の分布を調整する工程と、
を備え、
前記ａ）工程が、
ａ１）光源部から断面が帯状の光を出射させる工程と、
ａ２）前記光源部から出射された光を、その長幅方向を、一列に配列された複数の変調単位の配列方向に沿わせるようにして前記複数の変調単位に入射させるとともに、前記複数の変調単位に当該入射した光を変調させて、前記描画光を形成させる工程と、
を備え、
前記ｂ）工程が、
ｂ１）前記変調単位への入射光量に対する出射光量の比を出射率として、前記変調単位の配列方向における位置と前記出射率との関係を規定する出射率関数の形状タイプを、複数の形状タイプ候補の中から選択する選択操作を受け付ける工程と、
ｂ２）前記ｂ１）工程で受け付けられた形状タイプに応じて、前記複数の変調単位それぞれの前記出射率を調整する工程と、
を備える、描画方法。
【請求項１０】
請求項９に記載の描画方法であって、
前記複数の形状タイプ候補に、階段型が含まれ、
前記階段型が、
前記出射率が一定の中央部分と、前記中央部分と連なり、前記出射率が階段状に変化する変化部分とを含んで構成される、
描画方法。
【請求項１１】
請求項１０に記載の描画方法であって、
前記ｂ）工程が、
前記ｂ１）工程において前記階段型が選択された場合に、前記変化部分の幅の指定を受け付ける工程、
をさらに備える、描画方法。
【請求項１２】
請求項１０または１１に記載の描画方法であって、
前記ｂ）工程が、
前記ｂ１）工程において前記階段型が選択された場合に、前記変化部分の前記出射率の指定を受け付ける工程、
をさらに備える、描画方法。
【請求項１３】
請求項９から１２のいずれかに記載の描画方法であって、
前記複数の形状タイプ候補に、台形型が含まれ、
前記台形型が、
前記出射率が一定の中央部分と、前記中央部分と連なり、前記出射率が傾斜状に変化する変化部分とを含んで構成される、
描画方法。
【請求項１４】
請求項１３に記載の描画方法であって、
前記ｂ）工程が、
前記ｂ１）工程において前記台形型が選択された場合に、前記変化部分内の１以上の代表位置のそれぞれにおける前記出射率の指定を受け付ける工程、
をさらに備える、描画方法。
【請求項１５】
請求項９から１４のいずれかに記載の描画方法であって、
前記ｂ１）工程において、
前記複数の形状タイプ候補を一覧表示した受付画面を、定められた表示装置に表示させるとともに、前記受付画面を介して前記選択操作を受け付ける、
描画方法。
【請求項１６】
請求項９から１５のいずれかに記載の描画方法であって、
ｃ）前記ｂ１）工程で受け付けられた情報を、前記基板にパターンを描画する処理の処理条件と対応付けて登録する工程、
をさらに備える、描画方法。
【発明の詳細な説明】
【技術分野】
【０００１】
この発明は、半導体基板、プリント基板、液晶表示装置等に具備されるカラーフィルタ用基板、液晶表示装置やプラズマ表示装置等に具備されるフラットパネルディスプレイ用ガラス基板、磁気ディスク用基板、光ディスク用基板、太陽電池用パネルなどの各種基板等（以下、単に「基板」ともいう）に対して光を照射して、基板にパターンを描画する技術に関する。
【背景技術】
【０００２】
基板上に塗布された感光材料に回路などのパターンを露光するにあたって、マスクなどを用いず、パターンを記述したデータに応じて変調した光（描画光）によって基板上の感光材料を走査することによって、当該感光材料に直接パターンを露光する露光装置（所謂、描画装置）が近年注目されている。描画装置は、例えば、光ビームを画素単位でオン／オフ変調するための空間光変調器（例えば、光源から供給される光ビームを反射して基板上に与えるオン状態と、光ビームをオン状態とは異なる方向に向けて反射させるオフ状態とを、制御信号によって画素単位で切り換える反射型の空間変調器）を備える光学ヘッドから、光学ヘッドに対して相対的に移動される基板に対して描画光を照射して、基板にパターンを露光（描画）する（例えば、特許文献１参照）。
【０００３】
描画装置において、光学ヘッドは、例えば、断面が帯状の描画光を出射しながら、描画光の長幅方向と直交する軸（主走査軸）に沿って基板に対して相対的に移動する（主走査）。この主走査が行われることによって、基板上の、主走査軸に沿う一本の帯状領域に対するパターンの露光が行われる。光学ヘッドは、描画光の照射を伴う主走査が完了すると、続いて、主走査軸と直交する副走査軸に沿って基板に対して相対的に移動した上で、再び、描画光の照射を伴う主走査を行う。これによって、先の主走査でパターンが露光された帯状領域の隣の帯状領域に対するパターンの露光が行われる。このように、副走査を挟んで、描画光の照射を伴う主走査が繰り返して行われることによって、基板の全域にパターンが露光されることになる。
【０００４】
上述した態様で基板にパターンを露光する場合、帯状領域間の境界部分に露光ムラが生じやすいという問題があった。境界部分の露光ムラは、境界部分におけるパターンの不連続性（例えば、パターンの途切れ、太り、細り）等の原因とも成り得る。そして、このようなパターンの不連続性は、できあがり製品の電気的特性（通電特性）に悪影響を及ぼすおそれがある。
【０００５】
そこで、例えば特許文献２では、副走査における移動距離を、光学ヘッドから出射される帯状の光の長幅よりも短くして、帯状領域の境界部分を重ね合わせ状態としている。この構成によると、光学ヘッドの不均一特性の影響が混和されて均されるので、帯状領域間の境界部分の露光ムラが緩和される。
【先行技術文献】
【特許文献】
【０００６】
【特許文献１】特開２００９−２３７９１７号公報
【特許文献２】特開２００８−１２９２４８号公報
【発明の概要】
【発明が解決しようとする課題】
【０００７】
特許文献２などを適用すれば、帯状領域間の境界部分の露光ムラをある程度緩和できる。ところが、帯状領域間の境界部分の露光ムラの出現態様は、処理条件によって大きく変わってくる。
【０００８】
すなわち、境界部分は、異なるタイミングで光が照射される領域同士が近接する（あるいは、重なり合う）領域となるため、例えば、感光材料の種類、光学的な拡散特性などが変わると、境界部分の露光ムラの出現態様も変わってくる。また例えば、光学ヘッドの基板に対する相対移動速度が変わると、境界部分における光が照射されるタイミング差が変わってくるため、当該露光ムラの出現態様も変わってくる。
【０００９】
したがって、ある処理条件の下で、境界部分の露光ムラが生じないように適切な調整がなされていたとしても、処理条件が少しでも変わると、境界部分の露光ムラが生じてしまう可能性が大いにある。このため、処理条件が変更されると、直ちに、調整をし直す必要があるが、従来、この調整は容易に行えるものではなかった。そのため、処理条件の変更に柔軟に対応できず、露光の均一性を十分に担保することが難しかった。
【００１０】
この発明は、上記の課題に鑑みてなされたものであり、境界部分の露光ムラを緩和するための調整を簡易に行える技術を提供することを目的とする。
【課題を解決するための手段】
【００１１】
第１の態様は、感光材料が形成された基板に光を照射して前記基板にパターンを描画する描画装置であって、断面が帯状の描画光を出射しながら、前記描画光の長幅方向と直交する方向に沿って前記基板に対して相対的に移動する、光学ユニットと、前記描画光の長幅方向に沿う光量の分布を調整する調整部と、を備え、前記光学ユニットが、断面が帯状の光を出射する光源部と、一列に配列された複数の変調単位を備え、前記光源部から出射された光を、その長幅方向を前記複数の変調単位の配列方向に沿わせるようにして前記複数の変調単位に入射させるとともに、前記複数の変調単位に当該入射した光を変調させて、前記描画光を形成する、空間光変調部と、備え、前記調整部が、前記変調単位への入射光量に対する出射光量の比を出射率として、前記変調単位の配列方向における位置と前記出射率との関係を規定する出射率関数の形状タイプを、複数の形状タイプ候補の中から選択する選択操作を受け付ける、受付部と、前記受付部が受け付けた形状タイプに応じて、前記複数の変調単位それぞれの前記出射率を調整する出射率調整部と、を備える。
【００１２】
第２の態様は、第１の態様に係る描画装置であって、前記複数の形状タイプ候補に、階段型が含まれ、前記階段型が、前記出射率が一定の中央部分と、前記中央部分と連なり、前記出射率が階段状に変化する変化部分とを含んで構成される。
【００１３】
第３の態様は、第２の態様に係る描画装置であって、前記受付部が、前記階段型が選択された場合に、前記変化部分の幅の指定を受け付ける。
【００１４】
第４の態様は、第２または第３の態様に係る描画装置であって、前記受付部が、前記階段型が選択された場合に、前記変化部分の前記出射率の指定を受け付ける。
【００１５】
第５の態様は、第１から第４のいずれかの態様に係る描画装置であって、前記複数の形状タイプ候補に、台形型が含まれ、前記台形型が、前記出射率が一定の中央部分と、前記中央部分と連なり、前記出射率が傾斜状に変化する変化部分とを含んで構成される。
【００１６】
第６の態様は、第５の態様に係る描画装置であって、前記受付部が、前記台形型が選択された場合に、前記変化部分内の１以上の代表位置のそれぞれにおける前記出射率の指定を受け付ける。
【００１７】
第７の態様は、第１から第６のいずれかの態様に係る描画装置であって、前記受付部が、前記複数の形状タイプ候補を一覧表示した受付画面を、定められた表示装置に表示させるとともに、前記受付画面を介して前記選択操作を受け付ける。
【００１８】
第８の態様は、第１から第７のいずれかの態様に係る描画装置であって、前記調整部が、前記受付部が受け付けた情報を、前記基板にパターンを描画する処理の処理条件と対応付けて登録する登録部、をさらに備える。
【００１９】
第９の態様は、感光材料が形成された基板に光を照射して前記基板にパターンを描画する描画方法であって、ａ）光学ユニットから断面が帯状の描画光を出射させながら、前記光学ユニットを前記描画光の長幅方向と直交する方向に沿って前記基板に対して相対的に移動させる工程と、ｂ）前記描画光の長幅方向に沿う光量の分布を調整する工程と、を備え、前記ａ）工程が、ａ１）光源部から断面が帯状の光を出射させる工程と、ａ２）前記光源部から出射された光を、その長幅方向を、一列に配列された複数の変調単位の配列方向に沿わせるようにして前記複数の変調単位に入射させるとともに、前記複数の変調単位に当該入射した光を変調させて、前記描画光を形成させる工程と、を備え、前記ｂ）工程が、ｂ１）前記変調単位への入射光量に対する出射光量の比を出射率として、前記変調単位の配列方向における位置と前記出射率との関係を規定する出射率関数の形状タイプを、複数の形状タイプ候補の中から選択する選択操作を受け付ける工程と、ｂ２）前記ｂ１）工程で受け付けられた形状タイプに応じて、前記複数の変調単位それぞれの前記出射率を調整する工程と、を備える。
【００２０】
第１０の態様は、第９の態様に係る描画方法であって、前記複数の形状タイプ候補に、階段型が含まれ、前記階段型が、前記出射率が一定の中央部分と、前記中央部分と連なり、前記出射率が階段状に変化する変化部分とを含んで構成される。
【００２１】
第１１の態様は、第１０の態様に係る描画方法であって、前記ｂ）工程が、前記ｂ１）工程において前記階段型が選択された場合に、前記変化部分の幅の指定を受け付ける工程、をさらに備える。
【００２２】
第１２の態様は、第１０または第１１の態様に係る描画方法であって、前記ｂ）工程が、前記ｂ１）工程において前記階段型が選択された場合に、前記変化部分の前記出射率の指定を受け付ける工程、をさらに備える。
【００２３】
第１３の態様は、第９から第１２のいずれかの態様に係る描画方法であって、前記複数の形状タイプ候補に、台形型が含まれ、前記台形型が、前記出射率が一定の中央部分と、前記中央部分と連なり、前記出射率が傾斜状に変化する変化部分とを含んで構成される。
【００２４】
第１４の態様は、第１３の態様に係る描画方法であって、前記ｂ）工程が、前記ｂ１）工程において前記台形型が選択された場合に、前記変化部分内の１以上の代表位置のそれぞれにおける前記出射率の指定を受け付ける工程、をさらに備える。
【００２５】
第１５の態様は、第９から第１４のいずれかの態様に係る描画方法であって、前記ｂ１）工程において、前記複数の形状タイプ候補を一覧表示した受付画面を、定められた表示装置に表示させるとともに、前記受付画面を介して前記選択操作を受け付ける。
【００２６】
第１６の態様は、第９から第１５のいずれかの態様に係る描画方法であって、ｃ）前記ｂ１）工程で受け付けられた情報を、前記基板にパターンを描画する処理の処理条件と対応付けて登録する工程、をさらに備える。
【発明の効果】
【００２７】
第１、第９の態様によると、出射率関数の形状タイプを、複数の形状タイプ候補の中から選択するという簡易な選択操作によって、各変調単位の出射率が調整され、基板に入射する帯状の描画光の、長幅方向に沿う光量の分布が調整されることになる。したがって、境界部分の露光ムラを緩和するための調整を、簡易に行うことができる。
【００２８】
第２、第１０の態様によると、複数の形状タイプ候補に、階段型が含まれる。出射率関数の形状タイプとして階段型が選択されることによって、例えば、境界部分における比較的微小な範囲で露光量が比較的大きく変動するような露光ムラが生じている場合に、当該露光ムラが効果的に緩和される。
【００２９】
第５、第１３の態様によると、複数の形状タイプ候補に、台形型が含まれる。出射率関数の形状タイプとして台形型が選択されることによって、例えば、境界部分における比較的大きな範囲で露光量が比較的緩やかに変動するような露光ムラが生じている場合に、当該露光ムラが効果的に緩和される。
【００３０】
第７、第１５の態様によると、複数の形状タイプ候補を一覧表示した受付画面が表示され、当該受付画面を介して、選択操作が受け付けられる。したがって、オペレータは、複数の形状タイプ候補のいずれかを選択する選択操作を、特に簡易に行うことができる。
【００３１】
第８、第１６の態様によると、オペレータから受け付けられた情報が、処理条件と対応付けて登録される。したがって、同じ処理条件について、オペレータが改めて入力操作を行わなくとも、基板に入射する帯状の描画光の、長幅方向に沿う光量の分布を、境界部分の露光ムラを緩和できるような適切な形状に調整することができる。
【図面の簡単な説明】
【００３２】
【図１】描画装置の側面図である。
【図２】描画装置の平面図である。
【図３】制御部のハードウエア構成を示すブロック図である。
【図４】矩形型の出射率関数を示す図である。
【図５】一群の変調単位の出射率の分布が矩形型となるように調整されている場合の、変調単位の配列位置と帯状領域との関係を説明するための図である。
【図６】階段型の出射率関数を示す図である。
【図７】一群の変調単位の出射率の分布が階段型となるように調整されている場合の、変調単位の配列位置と帯状領域との関係を説明するための図である。
【図８】台形型の出射率関数を示す図である。
【図９】台形型の出射率関数を示す図である。
【図１０】一群の変調単位の出射率の分布が台形型となるように調整されている場合の、変調単位の配列位置と帯状領域との関係を説明するための図である。
【図１１】形状登録部に関する構成を示すブロック図である。
【図１２】受付画面の構成例を模式的に示す図である。
【図１３】受付画面の構成例を模式的に示す図である。
【図１４】受付画面の構成例を模式的に示す図である。
【図１５】出射率関数の形状の登録に係る一連の処理の流れを示す図である。
【図１６】描画装置にて実行される処理の流れを示す図である。
【図１７】描画処理を説明するための図である。
【図１８】変形例に係る受付画面の構成例を模式的に示す図である。
【発明を実施するための形態】
【００３３】
以下、図面を参照しながら、本発明の実施の形態について説明する。なお、以下の実施の形態は、本発明を具体化した一例であり、本発明の技術的範囲を限定する事例ではない。また、図面においては、理解容易のため、各部の寸法や数が誇張または簡略化して図示されている場合がある。
【００３４】
＜１．装置構成＞
第１の実施の形態に係る描画装置１の構成について、図１、図２を参照しながら説明する。図１は、描画装置１の構成を模式的に示す側面図である。図２は、描画装置１の構成を模式的に示す平面図である。
【００３５】
描画装置１は、レジスト等の感光材料の層が形成された基板Ｗの上面に、ＣＡＤデータ等に応じて変調した光（描画光）を照射して、パターン（例えば、回路パターン）を露光（描画）する装置である。なお、基板Ｗは、例えば、半導体基板、プリント基板、液晶表示装置等に具備されるカラーフィルタ用基板、液晶表示装置やプラズマ表示装置等に具備されるフラットパネルディスプレイ用ガラス基板、磁気ディスク用基板、光ディスク用基板、太陽電池用パネル、等のいずれであってもよい。図示の例では、基板Ｗとして、円形の半導体基板が例示されている。
【００３６】
描画装置１は、本体フレーム１０１で構成される骨格の天井面および周囲面にカバーパネル（図示省略）が取り付けられることによって形成される本体内部と、本体フレーム１０１の外側である本体外部とに、各種の構成要素を配置した構成となっている。
【００３７】
描画装置１の本体内部は、処理領域１０２と受渡し領域１０３とに区分されている。処理領域１０２には、主として、基板Ｗを保持するステージ１０、ステージ１０を移動させるステージ駆動機構２０、ステージ１０の位置を計測するステージ位置計測部３０、基板Ｗの上面に光を照射する２個の光学ユニット４０、および、基板Ｗ上のアライメントマークを撮像する撮像部５０が配置される。一方、受渡し領域１０３には、処理領域１０２に対する基板Ｗの搬出入を行う搬送装置６０とプリアライメント部７０とが配置される。また、描画装置１は、描画装置１が備える各部と電気的に接続されて、これら各部の動作を制御する制御部８０を備える。以下において、描画装置１が備える各部の構成について説明する。
【００３８】
＜ステージ１０＞
ステージ１０は、平板状の外形を有し、その上面に円形の基板Ｗを水平姿勢に載置して保持する保持部である。ステージ１０の上面には、複数の吸引孔（図示省略）が形成されており、この吸引孔に負圧（吸引圧）を形成することによって、ステージ１０上に載置された基板Ｗをステージ１０の上面に固定保持することができるようになっている。
【００３９】
＜ステージ駆動機構２０＞
ステージ駆動機構２０は、ステージ１０を基台１０５に対して移動させる機構であり、ステージ１０を主走査方向（Ｙ軸方向）、副走査方向（Ｘ軸方向）、および回転方向（Ｚ軸周りの回転方向（θ軸方向））に移動させる。ステージ駆動機構２０は、具体的には、ステージ１０を回転させる回転機構２１と、回転機構２１を介してステージ１０を支持する支持プレート２２と、支持プレート２２を副走査方向に移動させる副走査機構２３とを備える。ステージ駆動機構２０は、さらに、副走査機構２３を介して支持プレート２２を支持するベースプレート２４と、ベースプレート２４を主走査方向に移動させる主走査機構２５とを備える。
【００４０】
回転機構２１は、ステージ１０の上面（基板Ｗの載置面）の中心を通り、当該載置面に垂直な回転軸Ａを中心としてステージ１０を回転させる。回転機構２１は、例えば、上端が載置面の裏面側に固着され、鉛直軸に沿って延在する回転軸部２１１と、回転軸部２１１の下端に設けられ、回転軸部２１１を回転させる回転駆動部（例えば、回転モータ）２１２とを含む構成とすることができる。この構成においては、回転駆動部２１２が回転軸部２１１を回転させることにより、ステージ１０が水平面内で回転軸Ａを中心として回転することになる。
【００４１】
副走査機構２３は、支持プレート２２の下面に取り付けられた移動子とベースプレート２４の上面に敷設された固定子とにより構成されたリニアモータ２３１とを有している。また、ベースプレート２４には、副走査方向に延びる一対のガイド部材２３２が敷設されており、各ガイド部材２３２と支持プレート２２との間には、ガイド部材２３２に摺動しながら当該ガイド部材２３２に沿って移動可能なボールベアリングが設置されている。つまり、支持プレート２２は、当該ボールベアリングを介して一対のガイド部材２３２上に支持される。この構成においてリニアモータ２３１を動作させると、支持プレート２２はガイド部材２３２に案内された状態で副走査方向に沿って滑らかに移動する。
【００４２】
主走査機構２５は、ベースプレート２４の下面に取り付けられた移動子と描画装置１の基台１０５上に敷設された固定子とにより構成されたリニアモータ２５１を有している。また、基台１０５には、主走査方向に延びる一対のガイド部材２５２が敷設されており、各ガイド部材２５２とベースプレート２４との間には例えばエアベアリングが設置されている。エアベアリングにはユーティリティ設備から常時エアが供給されており、ベースプレート２４は、エアベアリングによってガイド部材２５２上に非接触で浮上支持される。この構成においてリニアモータ２５１を動作させると、ベースプレート２４はガイド部材２５２に案内された状態で主走査方向に沿って摩擦なしで滑らかに移動する。
【００４３】
＜ステージ位置計測部３０＞
ステージ位置計測部３０は、ステージ１０の位置を計測する機構である。ステージ位置計測部３０は、具体的には、例えば、ステージ１０外からステージ１０に向けてレーザ光を出射するとともにその反射光を受光し、当該反射光と出射光との干渉からステージ１０の位置（具体的には、主走査方向に沿うＹ位置、および、回転方向に沿うθ位置）を計測する、干渉式のレーザ測長器により構成される。
【００４４】
＜光学ユニット４０＞
光学ユニット４０は、ステージ１０上に保持された基板Ｗの上面に描画光を照射して基板Ｗにパターンを描画するための機構である。上述したとおり、描画装置１は２個の光学ユニット４０，４０を備える。例えば、一方の光学ユニット４０が基板Ｗの＋Ｘ側半分の露光を担当し、他方の光学ユニット４０が基板Ｗの−Ｘ側半分の露光を担当する。これら２個の光学ユニット４０，４０は、ステージ１０およびステージ駆動機構２０を跨ぐようにして基台１０５上に架設された支持フレーム１０７に、副走査方向（Ｘ軸方向）に沿って、間隔をあけて固設される。なお、２個の光学ユニット４０，４０の間隔は必ずしも一定に固定されている必要はなく、光学ユニット４０，４０の一方あるいは両方の位置を変更可能とする機構を設けて、両者の間隔を調整可能としてもよい。もっとも、光学ユニット４０の搭載個数は、必ずしも２個である必要はなく、１個であってもよいし、３個以上であってもよい。
【００４５】
２個の光学ユニット４０，４０はいずれも同じ構成を備える。すなわち、各光学ユニット４０は、天板を形成するボックスの内部に配置された光源部４０１と、支持フレーム１０７の＋Ｙ側に取り付けられた付設ボックスの内部に収容されたヘッド部４０２とを備える。光源部４０１は、レーザ駆動部４１と、レーザ発振器４２と、照明光学系４３とを主として備える。ヘッド部４０２は、空間光変調ユニット４４と、投影光学系４５とを主として備える。
【００４６】
レーザ発振器４２は、レーザ駆動部４１からの駆動を受けて、出力ミラー（図示省略）からレーザ光を出射する。照明光学系４３は、レーザ発振器４２から出射された光（スポットビーム）を、強度分布が均一な線状の光（すなわち、光束断面が帯状の光であるラインビーム）とする。レーザ発振器４２から出射され、照明光学系４３にてラインビームとされた光は、ヘッド部４０２に入射する。なお、レーザ発振器４２から出射された光がヘッド部４０２に入射する前の段階で、当該光に絞りをかけて、ヘッド部４０２に入射する光の光量を調整する構成としてもよい。
【００４７】
ヘッド部４０２に入射した光は、ここで、パターンデータＰＤに応じた空間変調を施された上で、基板Ｗに照射される。ただし、光を空間変調させるとは、光の空間分布（振幅、位相、および偏光等）を変化させることを意味する。また、「パターンデータＰＤ」とは、光を照射すべき基板Ｗ上の位置情報が画素単位で記録されたデータであり、例えば、ＣＡＤ（Computer Aided Design）を用いて生成されたパターンの設計データをラスタライズすることにより生成される。パターンデータＰＤは、例えばネットワーク等を介して接続された外部端末装置から受信することによって、あるいは、記録媒体から読み取ることによって取得されて、制御部８０の記憶装置８４に格納される（図３参照）。
【００４８】
ヘッド部４０２に入射した光は、より具体的には、ミラー４６を介して、定められた角度で空間光変調ユニット４４に入射する。空間光変調ユニット４４は、電気的な制御によって入射光を空間変調させて、パターンの描画に寄与させる必要光と、パターンの描画に寄与させない不要光とを、互いに異なる方向に反射させる、空間光変調器４４１を備える。空間光変調器４４１は、例えば、変調素子である固定リボンと可動リボンとが一次元に配設された回折格子型の空間変調器（例えば、ＧＬＶ（Grating Light Valve：グレーチング・ライト・バルブ)（「ＧＬＶ」は登録商標））等を利用して構成される。回折格子型の空間変調器は、格子の深さを変更することができる回折格子であり、例えば、半導体装置製造技術を用いて製造される。
【００４９】
空間光変調器４４１の構成例についてより具体的に説明する。空間光変調器４４１は、複数の変調単位４４２を一次元に並べた構成となっている（図５等参照）。各変調単位４４２は、その動作が、例えば、電圧の印加の有無で制御されるものであり、空間光変調器４４１は、複数の変調単位４４２のそれぞれに対して独立に電圧を印加可能なドライバ回路ユニット（図示省略）を備えている。これによって、各変調単位４４２の電圧が、独立して切り換え可能となっている。
【００５０】
変調単位４４２が第１の電圧状態（例えば、電圧が印加されていない状態）とされると、変調単位４４２の表面は例えば平面となる。表面が平面となっている変調単位４４２に光が入射すると、その入射光は回折せずに正反射する。これにより、正反射光（０次回折光）が発生する。この正反射光は、パターンの描画に寄与させるべき必要光として、後述する投影光学系４５を介して、基板Ｗの表面に導かれる。一方、変調単位４４２が第２の電圧状態（例えば、電圧が印加されている状態）とされると、変調単位４４２の表面には定められた深さ（最大深さ）の平行な溝が周期的に並んで１本以上形成される。この状態で変調単位４４２に光が入射すると、正反射光（０次回折光）は打ち消しあって消滅し、他の次数の回折光（±１次回折光、±２次回折光、および、さらに高次の回折光）が発生する。この０次以外の次数の回折光は、パターンの描画に寄与させるべきでない不要光として、後述する投影光学系４５において遮断され、基板Ｗに到達しない。以下において、第１の電圧状態となっている変調単位４４２を「オン状態」ともいい、第２の電圧状態となっている変調単位４４２を「オフ状態」ともいう。
【００５１】
空間光変調器４４１は、さらに、その備える一群の変調単位４４２それぞれの、オン状態の出射率を、個別に調整できる機構（出射率調整部）４００を備える（図１１参照）。ここでいう、変調単位４４２の「出射率」とは、変調単位４４２における、入射光量に対する出射光量の比（出射光量／入射光量）を指す。ただし、ここでいう「出射光量」は、必要光（すなわち、基板Ｗに到達する方向に出射される光）の光量であり、ここでは、正反射光（０次回折光）の光量である。変調単位４４２の出射率は、変調単位４４２の表面が平面となっていれば１００％となる。そして、変調単位４４２の表面に溝が形成されると出射率は低下し、当該溝の深さが深くなるほど出射率は小さくなる。出射率調整部４００は、各変調単位４４２について、当該変調単位４４２がオン状態とされている際に表面に形成される溝の深さを、ゼロ以上、かつ、上述した最大溝深さ（すなわち、オフ状態の変調単位４４２の表面に形成される溝の深さであり、０パーセントの出射率を与える）以下の範囲で、調整することによって、オン状態の変調単位４４２の出射率を、０％から１００％の任意の値に調整する。
【００５２】
投影光学系４５は、空間光変調器４４１から入射する光のうち、不要光を遮断するとともに必要光を基板Ｗの表面に導いて、必要光を基板Ｗの表面に結像させる。すなわち、空間光変調器４４１から出射される必要光は、Ｚ軸に沿って−Ｚ方向に進行し、空間光変調器４４１から出射される不要光はＺ軸から±Ｘ方向に僅かに傾斜した軸に沿って−Ｚ方向に進行するところ、投影光学系４５は、例えば、必要光のみを通過させるように真ん中に貫通孔が形成された遮断板を備え、この遮断板で不要光を遮断する。投影光学系４５は、この遮断板の他に、必要光の幅を広げる（あるいは狭める）ズーム部を構成する複数のレンズ、必要光を定められた倍率として基板Ｗ上に結像させる対物レンズ、等をさらに含む構成とすることができる。
【００５３】
光学ユニット４０に描画動作を実行させる場合、制御部８０は、レーザ駆動部４１を駆動してレーザ発振器４２から光を出射させる。出射された光は照明光学系４３にてラインビームとされ、ミラー４６を介して空間光変調ユニット４４の空間光変調器４４１に入射する。ただし、空間光変調器４４１は複数の変調単位４４２の反射面の法線が、ミラー４６を介して入射する入射光の光軸に対して傾斜するような姿勢で配置されている。
【００５４】
上述したとおり、空間光変調器４４１においては複数の変調単位４４２が副走査方向（Ｘ軸方向）に沿って並んで配置されており、入射光はその線状の光束断面の長幅方向を変調単位４４２の配列方向に沿わせるようにして、一列に配列された複数の変調単位４４２に入射する。制御部８０は、パターンデータＰＤに基づいてドライバ回路ユニットに指示を与え、ドライバ回路ユニットが指示された変調単位４４２に対して電圧を印加する。これによって、各変調単位４４２にて個々に空間変調された光を含む、断面が帯状の描画光が形成され、基板Ｗに向けて出射されることになる。１個の変調単位４４２にて空間変調された光は、１画素分の描画光となり、空間光変調器４４１から出射される描画光は、副走査方向に沿う複数画素分の描画光となっている。空間光変調器４４１から出射された描画光は、投影光学系４５に入射する。そして、投影光学系４５において、入射光のうちの不要光が遮断されるとともに必要光のみが基板Ｗの表面に導かれ、定められた倍率とされて基板Ｗの表面に結像される。
【００５５】
各光学ユニット４０は、主走査方向（Ｙ軸方向）に沿って基板Ｗに対して相対的に移動しながら、副走査方向に沿う複数画素分の描画光を断続的に照射し続ける（すなわち、基板Ｗの表面にパルス光を繰り返して投影し続ける）。したがって、光学ユニット４０が主走査方向に沿って基板Ｗを横断すると、基板Ｗの表面に、主走査方向に沿って延在し、副走査方向に沿って複数画素分の幅（以下、「描画幅Ｍ」ともいう）をもつ、１本の帯状領域に、パターン群が描画されることになる。光学ユニット４０は、描画光の照射を伴う主走査を行った後、主走査方向と直交する副走査方向（Ｘ軸方向）に沿って、所定距離だけ基板Ｗに対して相対的に移動した上で（副走査）、再び、描画光の照射を伴う主走査を行う。これによって、先の主走査で描画された帯状領域の隣に、パターン群が描画されることになる。このようにして、副走査を挟みつつ、描画光の照射を伴う主走査が繰り返して行われることによって、描画対象領域の全体にパターン群が描画される。
【００５６】
＜撮像部５０＞
撮像部５０は、支持フレーム１０７に固設され、ステージ１０に保持された基板Ｗの上面に形成されたアライメントマークを撮像する。撮像部５０は、例えば、鏡筒、対物レンズ、および、例えばエリアイメージセンサ（二次元イメージセンサ）により構成されるＣＣＤイメージセンサを備える。また、撮像部５０は、撮像に用いられる照明光を供給する照明ユニット５０１とファイバ等を介して接続される。ただし、この照明光としては、基板Ｗ上のレジスト等を感光させない波長の光源が採用される。照明ユニット５０１から出射される光はファイバを介して鏡筒に導かれ、鏡筒を介して基板Ｗの上面に導かれる。そして、その反射光が、対物レンズを介してＣＣＤイメージセンサで受光される。これによって、基板Ｗの上面の撮像データが取得されることになる。ＣＣＤイメージセンサは、制御部８０からの指示に応じて撮像データを取得するとともに、取得した撮像データを制御部８０に送信する。なお、撮像部５０はオートフォーカス可能なオートフォーカスユニットをさらに備えていてもよい。
【００５７】
＜搬送装置６０＞
搬送装置６０は、基板Ｗを搬送する装置であり、具体的には、例えば、基板Ｗを支持するための２本のハンド６１，６１と、ハンド６１，６１を独立に移動（進退移動および昇降移動）させるハンド駆動機構６２とを備える。描画装置１の本体外部であって、受渡し領域１０３に隣接する位置には、カセットＣを載置するためのカセット載置部１０４が配置されており、搬送装置６０は、カセット載置部１０４に載置されたカセットＣに収容された未処理の基板Ｗを取り出して処理領域１０２に搬入するとともに、処理領域１０２から処理済みの基板Ｗを搬出してカセットＣに収容する。なお、カセット載置部１０４に対するカセットＣの受渡しは外部搬送装置（図示省略）によって行われる。
【００５８】
＜プリアライメント部７０＞
プリアライメント部７０は、基板Ｗの回転位置を粗く補正する装置である。プリアライメント部７０は、例えば、回転可能に構成された載置台と、載置台に載置された基板Ｗの外周縁の一部に形成された切り欠き部（例えば、ノッチ、オリエンテーションフラット等）の位置を検出するセンサと、載置台を回転させる回転機構とから構成することができる。この場合、プリアライメント部７０におけるプリアライメント処理は、まず、載置台に載置された基板Ｗの切り欠き部の位置をセンサで検出し、続いて、回転機構が、当該切り欠き部の位置が定められた位置となるように載置台を回転させることによって行われる。
【００５９】
＜制御部８０＞
制御部８０は、描画装置１が備える各部と電気的に接続されており、各種の演算処理を実行しつつ描画装置１の各部の動作を制御する。
【００６０】
制御部８０は、例えば、図３に示されるように、ＣＰＵ８１、ＲＯＭ８２、ＲＡＭ８３、記憶装置８４等がバスライン８５を介して相互接続された一般的なコンピュータを含んで構成される。ＲＯＭ８２は基本プログラム等を格納しており、ＲＡＭ８３はＣＰＵ８１が所定の処理を行う際の作業領域として供される。記憶装置８４は、フラッシュメモリ、あるいは、ハードディスク装置等の不揮発性の記憶装置によって構成されている。記憶装置８４にはプログラムＰが格納されており、このプログラムＰに記述された手順に従って、主制御部としてのＣＰＵ８１が演算処理を行うことにより、各種機能が実現されるように構成されている。プログラムＰは、通常、予め記憶装置８４等のメモリに格納されて使用されるものであるが、ＣＤ−ＲＯＭあるいはＤＶＤ−ＲＯＭ、外部のフラッシュメモリ等の記録媒体に記録された形態（プログラムプロダクト）で提供され（あるいは、ネットワークを介した外部サーバからのダウンロードなどにより提供され）、追加的または交換的に記憶装置８４等のメモリに格納されるものであってもよい。なお、制御部８０において実現される一部あるいは全部の機能は、専用の論理回路等でハードウエア的に実現されてもよい。
【００６１】
また、制御部８０では、入力部８６、表示部８７、通信部８８もバスライン８５に接続されている。入力部８６は、例えば、キーボードおよびマウスによって構成される入力デバイスであり、オペレータからの各種の操作（コマンドや各種データの入力といった操作）を受け付ける。なお、入力部８６は、各種スイッチ、タッチパネル等により構成されてもよい。表示部８７は、液晶表示装置、ランプ等により構成される表示装置であり、ＣＰＵ８１による制御の下、各種の情報を表示する。通信部８８は、ネットワークを介して外部装置との間でコマンドやデータなどの送受信を行うデータ通信機能を有する。
【００６２】
＜２．出射率関数の登録＞
＜２−１．出射率関数の形状タイプ＞
上述したとおり、描画装置１においては、空間光変調器４４１が、一列に配列された一群の変調単位４４２を備えており、さらに、当該一群の変調単位４４２それぞれの出射率を個別に調整する出射率調整部４００を備えている。いま、変調単位４４２の配列方向における位置と出射率との関係を規定する関数を「出射率関数」と称すると、描画装置１においては、出射率調整部４００を備えることによって、この出射率関数の形状を任意の形に調整することができるようになっている。ただし、ここでは、出射率関数は、横軸を、変調単位４４２の配列方向における位置とし、縦軸を出射率として、表されるものとする（例えば、図４参照）。
【００６３】
出射率関数の形状は、空間光変調器４４１から出射される描画光の、長幅方向の全体に亘る、光量分布のプロファイル（輪郭）を規定する。本発明者は、出射率関数の形状を適切に調整することによって、帯状領域間の境界部分に生じる露光ムラを緩和できることを見いだし、さらに、露光ムラのタイプに応じて、これを有効に緩和できる出射率関数の形状タイプがあることを見いだした。以下において、出射率関数の形状タイプについて、説明する。
【００６４】
＜矩形型＞
図４は、第１の形状タイプである「矩形型」の出射率関数を示す図である。また、図５は、矩形型の出射率関数と帯状領域との関係を説明するための図である。
【００６５】
矩形型の出射率関数は、出射率が一定の中央部分Ａ１の両端の立下りが垂直なエッジとなった、所謂「矩形関数」である。具体的には、矩形型の出射率関数は、出射率がゼロより大きな所定の値（例えば、１００％であり、以下「最大出射率」ともいう」）Ｒｆで一定に推移する中央部分Ａ１と、中央部分Ａ１の両方の端部とそれぞれ連なり、出射率がゼロで一定に推移する端部部分Ａ０とから構成される。ただし、中央部分Ａ１の中心位置は、変調単位４４２の配列方向に沿う中心位置Ｑと一致している。
【００６６】
出射率関数において、出射率がゼロとなっている端部部分Ａ０は、当該部分に配置されている変調単位４４２のオン状態の出射率がゼロとされることを意味しており、このような変調単位４４２は、描画光の形成に寄与しない。換言すると、描画光の形成は、実質的には、出射率がゼロより大きくなっている変調単位４４２のみを用いて行われる。したがって、出射率関数において出射率がゼロより大きくなっている領域の幅（以下「実効幅ｄ」という）が、上述した描画幅Ｍに相当することになる。矩形型の出射率関数においては、中央部分Ａ１の幅ｄ１が、実効幅ｄとなる。
【００６７】
矩形型の出射率関数における実効幅ｄは、副走査における移動距離と一致する描画幅Ｍを与える。したがって、一群の変調単位４４２の出射率の分布が矩形型となるように調整されている場合（より具体的には、一群の変調単位４４２の配列方向における位置と出射率との関係が、矩形型の出射率関数と一致するものとなるように、各変調単位４４２の出射率が調整されている場合）、図５に示されるように、各主走査で描画される帯状領域の端部（副走査方向に沿う端部）は、先の主走査で描画された帯状領域と互いに密着して隣接することになる。描画装置１においては、デフォルト状態では、一群の変調単位４４２の出射率の分布が矩形型となるように調整されているものとする。
【００６８】
以下において、矩形型の出射率関数における実効幅ｄ（すなわち、副走査における移動距離と一致する描画幅Ｍを与える実効幅ｄ）に相当する変調単位４４２の配列幅を「基準幅Ｔ」ともいう。出射率関数における実効幅ｄが、基準幅Ｔよりも大きい場合、各主走査で描画される帯状領域は、その端部において、先の主走査で描画された帯状領域と重なり合うことになる。
【００６９】
＜階段型＞
図６は、第２の形状タイプである「階段型」の出射率関数を示す図である。また、図７は、階段型の出射率関数と帯状領域との関係を説明するための図である。
【００７０】
階段型の出射率関数は、出射率が一定の中央部分Ｂ１の一方の端の立下がりが階段状のエッジとなった、所謂「階段関数」である。具体的には、階段型の出射率関数は、出射率が最大出射率Ｒｆで一定に推移する中央部分Ｂ１と、中央部分Ｂ１の一方の端部と連なり、出射率がゼロで一定に推移する端部部分Ｂ０と、中央部分Ｂ１の他方の端部と連なり、出射率が階段状に変化する変化部分Ｂ２と、変化部分Ｂ２の他方の端部と連なり、出射率がゼロで一定に推移する端部部分Ｂ０とから構成される。ただし、ここでも、中央部分Ｂ１の中心位置は、変調単位４４２の配列方向に沿う中心位置Ｑと一致している。
【００７１】
ここでは、変化部分Ｂ２は、中央部分Ｂ１の一方の端の立下がりに一個の段差を形成しており、段差の幅が変化部分Ｂ２の幅ｄ２と一致している。また、段差の高さが変化部分Ｂ２の出射率Ｒｓと一致している。
【００７２】
階段型の出射率関数は、矩形型の出射率関数に、変化部分Ｂ２を追加したものに相当する。すなわち、階段型の出射率関数においては、中央部分Ｂ１の幅ｄ１が基準幅Ｔと一致しており、階段型の出射率関数における実効幅ｄは、変化部分Ｂ２の幅ｄ２の分だけ基準幅Ｔよりも大きくなっている。このため、階段型の出射率関数における実効幅ｄは、副走査における移動距離よりも、変化部分Ｂ２の幅ｄ２に相当する分だけ大きい描画幅Ｍを与える。
【００７３】
したがって、一群の変調単位４４２の出射率の分布が階段型となるように調整されている場合、図７に示されるように、各主走査で描画される帯状領域は、その端部において、先の主走査で描画された帯状領域と重なり合うことになる。そして、当該重なり合う部分の幅は、変化部分Ｂ２の幅ｄ２に相当し、当該重なり合う部分のうち、上層部分の露光は、変化部分Ｂ２に配置されている変調単位４４２が担当することになる。つまり、当該上層部分の露光量は、変化部分Ｂ２に配置されている変調単位４４２の出射率Ｒｓによって規定されることになる。
【００７４】
例えば、デフォルト状態（すなわち、一群の変調単位４４２の出射率の分布が矩形型となるように調整されている状態）で基板Ｗに対する描画処理が行われた場合に（図５参照）、基板Ｗに形成されたパターンのうち、帯状領域の境界を横断するものが、当該境界部分において、微小幅（例えば、１〜２画素分の幅）だけ途切れている、あるいは、微小幅だけ極端に細くくびれているとする。この場合、境界部分における比較的微小な範囲で、露光量が比較的大きく落ち込んでいると推察される。このような露光ムラが生じている場合に、一群の変調単位４４２の出射率の分布が階段型となるように調整されると（より具体的には、一群の変調単位４４２の配列方向における位置と出射率との関係が、階段型の出射率関数と一致するものとなるように、各変調単位４４２の出射率が調整されると）、境界部分に変化部分Ｂ２に配置されている変調単位４４２からの描画光の照射が追加されることになり、境界部分の露光量を増加させることができる。その結果、境界部分におけるパターンの途切れなどが解消される。このように、境界部分における比較的微小な範囲で露光量が大きく変動するような露光ムラが生じている場合、出射率関数の形状を矩形型から階段型に変更することによって、当該露光ムラを効果的に緩和することが可能となる。
【００７５】
＜台形型＞
図８、図９は、第３の形状タイプである「台形型」の出射率関数を示す図である。また、図１０は、台形型の出射率関数と帯状領域との関係を説明するための図である。
【００７６】
台形型の出射率関数は、出射率が一定の中央部分Ｃ１の両方の端の立下がりが傾斜状のエッジとなった、所謂「台形関数」である。具体的には、台形型の出射率関数は、出射率が最大出射率Ｒｆで一定に推移する中央部分Ｃ１と、中央部分Ｃ１の両端部のそれぞれと連なり、出射率が傾斜状に変化する変化部分Ｃ２と、変化部分Ｃ２の他方の端部と連なり、出射率がゼロで一定に推移する端部部分Ｃ０とから構成される。ただし、ここでも、中央部分Ｃ１の中心位置は、変調単位４４２の配列方向に沿う中心位置Ｑと一致している。
【００７７】
台形型の出射率関数においては、一方の変化部分Ｃ２の幅方向に沿う中心位置Ｐ２と、他方の変化部分Ｃ２の幅方向に沿う中心位置Ｐ２との離間距離ｄ３が、基準幅Ｔと一致している。つまり、台形型の出射率関数における実効幅ｄは、変化部分Ｃ２の幅ｄ２の分だけ、基準幅Ｔよりも大きくなっている。このため、台形型の出射率関数における実効幅ｄは、副走査における移動距離よりも、変化部分Ｃ２の幅ｄ２に相当する分だけ大きい描画幅Ｍを与える。
【００７８】
したがって、一群の変調単位４４２の出射率の分布が台形型となるように調整されている場合、図１０で示されるように、各主走査で描画される帯状領域は、その端部において、先の主走査で描画された帯状領域と重なり合うことになる。そして、当該重なり合う部分の幅は、変化部分Ｃ２の幅ｄ２に相当し、当該重なり合う部分のうち、下層部分の露光は、中央部分Ｃ１を挟んで一方側の変化部分Ｃ２に配置されている変調単位４４２が担当し、上層部分の露光は他方側の変化部分Ｃ２に配置されている変調単位４４２が担当することになる。
【００７９】
例えば、デフォルト状態で基板Ｗに対する描画処理が行われた場合に（図５参照）、基板Ｗに形成されたパターンのうち、帯状領域の境界を横断するものが、当該帯状領域の境界部分において、比較的大きな幅（例えば、２０画素程度の幅）に亘って、比較的細く（あるいは、太く）なっているとする。この場合、境界部分における比較的大きな範囲で、露光量が比較的緩やかに落ち込んでいる（あるいは、比較的緩やかに増加している）と推察される。このような露光ムラが生じている場合に、一群の変調単位４４２の出射率の分布が台形型となるように調整されると（より具体的には、一群の変調単位４４２の配列方向における位置と出射率との関係が、台形型の出射率関数と一致するものとなるように、各変調単位４４２の出射率が調整されると）、境界部分に対する描画が、変化部分Ｃ２に配置されている変調単位４４２からの描画光の照射の重ね合わせによって行われることになり、境界部分の露光量を微調整することができる。その結果、境界部分におけるパターンの線幅の変化などが解消される。このように、境界部分における比較的大きな範囲で露光量が緩やかに変動するような露光ムラが生じている場合、出射率関数の形状を矩形型から台形型に変更することによって、当該露光ムラを効果的に緩和することが可能となる。
【００８０】
＜２−２．形状登録部８００＞
描画装置１は、出射率関数の形状の登録を、オペレータから受け付ける機能部（形状登録部）８００を備える。形状登録部８００について、図１１を参照しながら説明する。図１１は、当該機能部に関する構成を示すブロック図である。
【００８１】
形状登録部８００は、受付部８０１と、登録部８０２とを備える。これら各部は、制御部８０において、プログラムＰに記述された手順に従ってＣＰＵ８１が演算処理を行うことにより実現される。
【００８２】
受付部８０１は、表示部８７に、後述する受付画面９を表示させるとともに、当該受付画面９を介して、オペレータから、出射率関数の形状の登録を受け付ける。
【００８３】
登録部８０２は、オペレータが、受付画面９を介して登録した出射率関数の形状を、描画処理の処理条件と対応付けて、記憶装置８４に記憶されたデータベースＤに蓄積する。描画処理の処理条件とは、具体的には、例えば、感光材料の種類、描画処理において光学ユニット４０が基板Ｗに対して相対移動される速度（ここでは、ステージ１０の移動速度）、基板Ｗの寸法、基板Ｗの種類、などである。もっとも、登録された出射率関数の形状を処理条件と対応付けて記憶する態様は、これに限るものではない。例えば、登録部８０２は、当該出射率関数の形状を、処理条件を特定するための情報（具体的には、例えば、処理条件を記述したレシピの識別情報（例えば、レシピ番号））と対応付けて、記憶装置８４に記憶してもよいし、当該出射率関数の形状を、当該レシピに直接に書き込んでもよい。後者の場合、出射率関数の形状は、レシピ情報の１つとして保持されることになる。
【００８４】
＜２−３．受付画面９＞
受付画面９の構成について、図１２〜図１４を参照しながら説明する。図１２〜図１４のそれぞれには、受付画面９の構成例が模式的に示されている。特に、図１２には、出射率関数の形状タイプとして、階段型が選択されている場合の受付画面９が例示されている。また、図１３、図１４には、出射率関数の形状タイプとして、台形型が選択されている場合の受付画面９が例示されている。
【００８５】
受付画面９は、形状タイプ選択領域９１と、階段型の入力項目領域９２と、台形型の入力項目領域９３と、形状表示領域９４と、登録アイコン９５とを含んで構成される。
【００８６】
＜形状タイプ選択領域９１＞
形状タイプ選択領域９１では、出射率関数の形状タイプを複数の形状タイプ候補の中から選択する選択操作が受け付けられる。
【００８７】
形状タイプ選択領域９１には、具体的には、複数の形状タイプ候補が一覧表示される。また、一覧表示された形状タイプの名称部分が、当該形状タイプを選択するアイコンとなっている。ここでは、上述した「階段型」（図６参照）と「台形型」（図８、図９参照）とが、形状タイプ候補とされており、形状タイプ選択領域９１には、階段型の選択を受け付ける第１アイコン９１１と、台形型の選択を受け付ける第２アイコン９１２とが表示される。
【００８８】
オペレータは、第１アイコン９１１を操作することによって、出射率関数の形状タイプとして、階段型を選択することができる。また、第２アイコン９１２を操作することによって、出射率関数の形状タイプとして、台形型を選択することができる。
【００８９】
＜階段型の入力項目領域９２＞
階段型の入力項目領域９２には、階段型の出射率関数に関する１以上の入力項目が表示され、各入力項目についての入力操作が受け付けられる。ここでは、変化部分Ｂ２の幅ｄ２と、変化部分Ｂ２の出射率Ｒｓとが、階段型の出射率関数に関する入力項目とされる（図６参照）。
【００９０】
階段型の入力項目領域９２には、具体的には、描画処理において、帯状領域を重なり合わせるライン数（ただし、１ラインは、幅が１画素分のラインを意味している）の選択を受け付ける複数のアイコン９２１，９２２が表示される。オペレータは、所望のライン数が表示されたアイコンを操作することによって、重なり合わせるライン数を指定することができる。帯状領域同士が重ね合わされる幅は、上述したとおり、階段型の出射率関数における変化部分Ｂ２の幅ｄ２に相当する。つまり、重ね合わせのライン数が指定されることによって、階段型の出射率関数における変化部分Ｂ２の幅ｄ２が指定されることになる。
【００９１】
ここでは、オペレータが直観的に理解できる「重ね合わせのライン数」という名目で、変化部分Ｂ２の幅ｄ２の指定を受け付けることによって、操作のわかりやすさが向上している。また、階段型の出射率関数においては、重ね合わせのライン数が大きくなりすぎると、帯状領域の境界部分の露光量の均一性を担保することが難しくなるところ、ここでは、重ね合わせのライン数をオペレータに入力させるのではなく、所定ライン数以下（好ましくは、２ライン以下）の範囲でしか選択できない構成とすることによって、このような事態を回避している。
【００９２】
また、階段型の入力項目領域９２には、変化部分Ｂ２の出射率Ｒｓの入力を受け付ける入力ボックス９２３が表示される。ただし、入力ボックス９２３には、最大出射率Ｒｆ以下であり、かつ、０より大きい範囲の値しか入力できないようになっている。オペレータは、入力ボックス９２３に、許容される範囲内の任意の値を入力することによって、階段型の出射率関数における変化部分Ｂ２の出射率Ｒｓを指定することができる。
【００９３】
＜台形型の入力項目領域９３＞
台形型の入力項目領域９３には、台形型の出射率関数に関する１以上の入力項目が表示され、各入力項目についての入力操作が受け付けられる。ここでは、変化部分Ｃ２内の１以上の代表位置のそれぞれにおける出射率が、台形型の出射率関数に関する入力項目とされる。ただし、代表位置は、変化部分Ｃ２を等分割する位置であることが好ましい。また、代表位置の個数は、３個以下であることも好ましい。図示の例では、変化部分Ｃ２を４等分割する３個の位置Ｐ１，Ｐ２，Ｐ３が代表位置とされる。
【００９４】
台形型の入力項目領域９３には、具体的には、代表位置Ｐ１，Ｐ２，Ｐ３のそれぞれの出射率の入力を受け付ける入力ボックス９３１，９３２，９３３が表示される。ただし、各入力ボックス９３１，９３２，９３３には、最大出射率Ｒｆ以下であり、かつ、０以上の範囲の値しか入力できないようになっている。また、真ん中の代表位置（第２代表位置）Ｐ２の出射率の入力を受け付ける第２入力ボックス９３２には、端部部分Ｃ０側の代表位置（第１代表位置）Ｐ１の出射率の入力を受け付ける第１入力ボックス９３１への入力値以上の値しか入力できないようになっている。また、中央部分Ｃ１側の代表位置（第３代表位置）Ｐ３の出射率の入力を受け付ける第３入力ボックス９３３には、第２入力ボックス９３２への入力値以上の値しか入力できないようになっている。オペレータは、各入力ボックス９３１，９３２，９３３に、許容される範囲内の任意の値を入力することによって、台形型の出射率関数における変化部分Ｃ２の変化の態様（すなわち、変化率）を指定することができる。ただし、台形型の出射率関数においては、２個の変化部分Ｃ２は互いに対称な形とされる。したがって、一方の変化部分Ｃ２の変化態様が規定されると、もう一方の変化部分Ｃ２の変化態様も一意に規定されることになる。
【００９５】
例えば、オペレータは、図１３に例示されるように、第１代表位置Ｐ１の出射率を「２５」％と指定し、第２代表位置Ｐ２の出射率を「５０」％と指定し、第３代表位置Ｐ３の出射率を「７５」％と指定することによって、変化部分Ｃ３における変化量が一定である出射率関数（図８参照）を指定することができる。また例えば、オペレータは、図１４に例示されるように、第１代表位置Ｐ１の出射率を「１０」％と指定し、第２代表位置Ｐ２の出射率を「５０」％と指定し、第３代表位置Ｐ３の出射率を「８０」％と指定することによって、変化部分Ｃ３における変化量が途中で変化してＳ字状となる出射率関数（図９参照）を指定することができる。上述したとおり、描画処理において、帯状領域の境界部分に対する描画は、変化部分Ｃ２に配置されている変調単位４４２からの描画光の照射の重ね合わせによって行われる。したがって、変化部分Ｃ３の変化態様を変更することによって、境界部分の露光量を微調整することができる。特に、変化部分Ｃ３がＳ字状とされると、出射率関数の全体に亘って出射率が比較的滑らかに変化することになるため、境界部分の露光量の変化も滑らかになり、露光ムラの緩和に特に有効である場合が多い。変化部分Ｃ２を４等分割する３個の位置Ｐ１，Ｐ２，Ｐ３を代表位置としておけば、このようなＳ字状の変化部分Ｃ３を簡易かつ適切に規定することができる。
【００９６】
ここでは、変化部分Ｃ２の幅ｄ２については、オペレータからの指定を受け付けるのではなく、予め定められた値に固定されている。台形型の出射率関数においても、重ね合わせのライン数があまりに大きくなりすぎると、帯状領域の境界部分の露光量の均一性を担保することが難しくなるところ、ここでは、重ね合わせのライン数をオペレータに入力させるのではなく、所定ライン数（好ましくは、例えば、２０ライン程度）に固定する構成とすることによって、このような事態を回避している。
【００９７】
＜形状表示領域９４＞
形状表示領域９４には、形状タイプ選択領域９１、および、各入力項目領域９２，９３から入力された情報から規定される出射率関数の一部、あるいは、全体が、模式的に表示される。特に、入力項目は、変化部分Ｂ２，Ｃ２に関連するものであるので、形状表示領域９４には、図示されるように、出射率関数における変化部分Ｂ２，Ｃ２が拡大表示されることが好ましい。
【００９８】
オペレータは、形状表示領域９４に表示された出射率関数を見て、これが所望通りの形状となっているかを確認し、必要に応じて、所望通りの形状となるように入力値などを変更することができる。
【００９９】
＜登録アイコン９５＞
登録アイコン９５は、形状タイプ選択領域９１、および、各入力項目領域９２，９３から入力された情報の登録を受け付けるアイコンである。オペレータは、登録アイコン９５を操作することによって、形状タイプ選択領域９１、および、各入力項目領域９２，９３から入力した情報を、登録することができる。
【０１００】
＜２−４．処理の流れ＞
描画装置１では、オペレータが、任意の形状の出射率関数を、描画処理の処理条件と対応付けて登録することができる。上述したとおり、描画装置１においては、デフォルト状態では、一群の変調単位４４２の出射率の分布が矩形型となるように調整されている。すなわち、空間光変調器４４１から出射される描画光の長幅方向に沿う光量の分布が均一な状態に調整されている。オペレータは、例えば、デフォルト状態で描画処理を行って得られた露光結果を確認し、帯状領域の境界部分に露光ムラが生じている場合は、これを緩和できるような出射率関数の形状を、処理条件と対応付けて登録することができる。出射率関数の形状の登録に係る一連の処理の流れについて、図１５を参照しながら説明する。図１５は、当該処理の流れを示す図である。
【０１０１】
出射率関数の形状の登録を開始する旨の指示がオペレータから受け付けられると、受付部８０１が、表示部８７に受付画面９を表示させる（ステップＳ１０１）。
【０１０２】
受付画面９が表示されると、オペレータは、形状タイプ選択領域９１に一覧表示された複数の形状タイプ候補の中から、出射率関数の形状タイプを選択する。オペレータは、例えば、対象となる処理条件の下で、デフォルト状態で描画処理を行った場合の露光結果において、境界部分における比較的微小な範囲で露光量が大きく変動するような露光ムラが生じている場合は、階段型を選択すればよい。また、当該露光結果において、境界部分における比較的大きな範囲で露光量が緩やかに変動するような露光ムラが生じている場合、台形型を選択すればよい。受付部８０１は、オペレータから形状タイプの選択を受け付けると（ステップＳ１０２でＹＥＳ）、続いて、選択された形状タイプについての各入力項目についての入力操作を受け付ける。
【０１０３】
オペレータは、階段型を選択した場合、階段型の入力項目領域９２に表示される各入力項目を入力する。また、オペレータは、台形型を選択した場合、台形型の入力項目領域９３に表示される各入力項目を入力する。受付部８０１は、オペレータから各入力項目の入力を受け付けると（ステップＳ１０３でＹＥＳ）、当該入力された情報から規定される出射率関数を形状表示領域９４に表示する（ステップＳ１０４）。
【０１０４】
オペレータは、例えば、対象となる処理条件の下で、デフォルト状態で描画処理を行った場合の露光結果において境界部分に生じている露光ムラの状態などに応じて、これを緩和できるような形状の出射率関数の形状を推定してこれを目標の形状とし、形状表示領域９４に表示された出射率関数を見て、これが目標の形状となっているかを確認する。そして、必要に応じて、各入力項目の入力値の修正などを行う。そして、目標の形状が得られたことが確認できると、登録アイコン９５を操作する。受付部８０１は、オペレータから登録アイコン９５の操作を受け付けると（ステップＳ１０５でＹＥＳ）、当該入力された情報を、登録部８０２に通知する。
【０１０５】
登録部８０２は、受付部８０１から情報を受け取ると、当該情報をデータベースＤに登録する（ステップＳ１０６）。具体的には、オペレータが選択した形状、および、各入力項目についての入力情報を、予めオペレータから指定された、対象となる処理条件、あるいは、対象となる処理条件を特定するための情報（例えば、レシピ番号）と対応付けて、データベースＤに登録する。これによって、１個の出射率関数の形状を規定する情報が、描画処理の処理条件と対応付けて登録されることになる。もっとも、当該情報は、必ずしも、データベースＤの形で登録される必要はなく、例えば、対象となる処理条件のレシピに書き込まれることによって登録されてもよい。
【０１０６】
＜３．描画装置１の動作＞
描画装置１において実行される基板Ｗに対する一連の処理の全体の流れについて、図１６を参照しながら説明する。図１６は、当該処理の流れを示す図である。以下に説明する一連の動作は、制御部８０の制御下で行われる。
【０１０７】
ただし、以下に説明する一連の動作に先立って、制御部８０が、処理条件を記述したレシピを記憶装置８４などから読み込んで、レシピに指定された処理条件に応じて各部のパラメータなどを調整する。
【０１０８】
このとき、制御部８０は、記憶装置８４に記憶されたデータベースＤなどから、当該レシピにて指定された処理条件（あるいは、当該レシピのレシピ番号）などと対応付けられている情報（すなわち、出射率関数の形状を規定する情報）を読み出す。当該情報がレシピに記述されている場合は、レシピから当該情報を読み出す。そして、出射率調整部４００が、当該情報から規定される出射率関数に応じて、２個の光学ユニット４０のそれぞれが備える空間光変調器４４１の一群の変調単位４４２のそれぞれの出射率を調整する。具体的には、出射率調整部４００は、各空間光変調器４４１の一群の変調単位４４２の配列方向における位置と出射率との関係が、当該情報から規定される出射率関数と一致するものとなるように、当該一群の変調単位４４２のそれぞれの出射率を調整する。登録されている出射率関数の形状タイプが、階段型、あるいは、台形型である場合、空間光変調器４４１から出射される描画光の長幅方向に沿う光量の分布が、不均一な状態（すなわち、端部に中央部よりも光量が小さい部分できるように）に調整されることになる。
【０１０９】
これによって、空間光変調器４４１から出射される描画光の長幅方向に沿う光量の分布が、当該処理条件の下で露光ムラを適切に緩和できるものに調整されることになる。つまり、形状登録部８００および出射率調整部４００が、描画光の長幅方向に沿う光量の分布を調整する調整部１００（図１１参照）としての機能を担っている。この調整が完了すると、基板Ｗに対する処理が開始される。
【０１１０】
まず、搬送装置６０が、カセット載置部１０４に載置されたカセットＣから未処理基板Ｗを取り出して描画装置１に搬入する（ステップＳ１）。
【０１１１】
続いて、搬送装置６０は搬入した基板Ｗをプリアライメント部７０に搬入し、プリアライメント部７０にて当該基板Ｗに対するプリアライメント処理が行われる（ステップＳ２）。プリアライメント処理は、例えば、載置台に載置された基板Ｗの切り欠き部の位置をセンサで検出し、当該切り欠き部の位置が定められた位置となるように載置台を回転させることによって行われる。これによって、載置台に載置された基板Ｗが定められた回転位置におおまかに位置合わせされた状態におかれることになる。
【０１１２】
続いて、搬送装置６０が、プリアライメント処理済みの基板Ｗをプリアライメント部７０から搬出してこれをステージ１０に載置する（ステップＳ３）。ステージ１０は、その上面に基板Ｗが載置されると、これを吸着保持する。
【０１１３】
基板Ｗがステージ１０に吸着保持された状態となると、続いて、当該基板Ｗが適正な位置にくるように精密に位置合わせする処理（ファインアライメント）が行われる（ステップＳ４）。具体的には、まず、ステージ駆動機構２０が、ステージ１０を撮像部５０の下方位置まで移動させる。ステージ１０が撮像部５０の下方に配置されると、続いて、撮像部５０が、基板Ｗ上のアライメントマークを撮像して、当該撮像データを取得する。続いて、制御部８０が、撮像部５０により取得された撮像データを画像解析してアライメントマークの位置を検出し、その検出位置に基づいて基板Ｗの適正位置からのずれ量を算出する。ずれ量が算出されると、ステージ駆動機構２０が、当該算出されたずれ量だけステージ１０を移動させる。これによって、基板Ｗが適正位置にくるように位置合わせされる。
【０１１４】
基板Ｗが適正位置におかれると、続いて、パターンの描画処理が行われる（ステップＳ５）。描画処理について、図１７を参照しながら説明する。図１７は、描画処理を説明するための図である。
【０１１５】
描画処理は、制御部８０の制御下でステージ駆動機構２０がステージ１０に載置された基板Ｗを光学ユニット４０，４０に対して相対的に移動させつつ、光学ユニット４０，４０のそれぞれから基板Ｗの上面に空間変調された光を照射させることによって行われる。
【０１１６】
具体的には、ステージ駆動機構２０は、まず、撮像部５０の下方位置に配置されているステージ１０を主走査方向（Ｙ軸方向）に沿って＋Ｙ方向に移動させることによって、基板Ｗを光学ユニット４０，４０に対して主走査方向に沿って相対的に移動させる（主走査）。これを基板Ｗからみると、各光学ユニット４０は基板Ｗ上を主走査方向に沿って−Ｙ方向に横断することになる（矢印ＡＲ１１）。主走査が行われる間、各光学ユニット４０は、パターンデータＰＤに応じた空間変調が形成された描画光を、基板Ｗに向けて断続的に照射し続ける（すなわち、基板Ｗの表面にパルス光が繰り返して投影され続ける）。つまり、各光学ユニット４０は、副走査方向に沿う複数画素分の空間変調された光を含む描画光を、断続的に照射し続けながら、基板Ｗ上を主走査方向に沿って横断する。したがって、光学ユニット４０が主走査方向に沿って基板Ｗを１回横断すると、１本の帯状領域（主走査方向に沿って延在し、副走査方向に沿う幅が描画幅Ｍに相当する領域）に、パターン群が描画されることになる。ここでは、２個の光学ユニット４０が同時に基板Ｗを横断するので、一回の主走査により２本の帯状領域のそれぞれにパターン群が描画されることになる。
【０１１７】
１回の主走査が終了すると、ステージ駆動機構２０は、ステージ１０を副走査方向（Ｘ軸方向）に沿って−Ｘ方向に、定められた距離だけ移動させることによって、基板Ｗを光学ユニット４０，４０に対して副査方向に沿って相対的に移動させる（副走査）。これを基板Ｗからみると、各光学ユニット４０は副走査方向に沿って＋Ｘ方向に、定められた距離分だけ移動することになる（矢印ＡＲ１２）。
【０１１８】
副走査が終了すると、再び主走査が行われる。すなわち、ステージ駆動機構２０は、ステージ１０を主走査方向に沿って−Ｙ方向に移動させることによって、基板Ｗを光学ユニット４０，４０に対して主走査方向に沿って相対的に移動させる。これを基板Ｗからみると、各光学ユニット４０は、基板Ｗ上における、先の主走査で描画された帯状領域の隣を、主走査方向に沿って＋Ｙ方向に移動して横断することになる（矢印ＡＲ１３）。ここでも、各光学ユニット４０は、パターンデータＰＤに応じた空間変調が形成された描画光を、基板Ｗに向けて断続的に照射し続けながら基板Ｗ上を主走査方向に沿って横断する。これによって、先の主走査で描画された帯状領域の隣の帯状領域に、パターン群が描画されることになる。ただし、上述したとおり、出射率関数における実効幅ｄが基準幅Ｔと一致している場合、各帯状領域の端部は、先の主走査で描画された帯状領域と互いに密着して隣接する（図５参照）。また、出射率関数における実効幅ｄが基準幅Ｔよりも大きい場合、各帯状領域の端部が、先の主走査で描画された帯状領域と重なり合う（図７、図１０参照）。
【０１１９】
以後、同様に、主走査と副走査とが繰り返して行われ、描画対象領域の全域にパターンが描画されると、描画処理が終了する。
【０１２０】
再び図１６を参照する。描画処理が終了すると、搬送装置６０が処理済みの基板Ｗを搬出する（ステップＳ６）。これによって、当該基板Ｗに対する一連の処理が終了する。
【０１２１】
＜４．効果＞
上記の実施の形態によると、出射率関数の形状タイプを、複数の形状タイプ候補の中から選択するという簡易な選択操作によって、各変調単位４４２の出射率が、一群の変調単位４４２の出射率の分布が当該選択された形状タイプの出射率関数と一致するものとなるように、調整される。これによって、描画光の長幅方向に沿う光量の分布が調整されることになる。したがって、オペレータは、境界部分の露光ムラを緩和するための調整作業を、簡易に行うことができる。
【０１２２】
特に、上記の実施の形態においては、複数の形状タイプ候補に、階段型が含まれる。出射率関数の形状タイプとして階段型が選択されることによって、例えば、境界部分における比較的微小な範囲で露光量が比較的大きく変動するような露光ムラが生じている場合に、当該露光ムラが効果的に緩和される。したがって、オペレータは、例えばこのような露光ムラが生じている場合は、出射率関数の形状タイプとして階段型を選択することによって、当該露光ムラを効果的に緩和することが可能となる。
【０１２３】
特に、上記の実施の形態においては、複数の形状タイプ候補に、台形型が含まれる。出射率関数の形状タイプとして台形型が選択されることによって、例えば、境界部分における比較的大きな範囲で露光量が比較的緩やかに変動するような露光ムラが生じている場合に、当該露光ムラが効果的に緩和される。したがって、オペレータは、例えばこのような露光ムラが生じている場合は、出射率関数の形状タイプとして台形型を選択することによって、当該露光ムラを効果的に緩和することが可能となる。
【０１２４】
また上記の実施の形態によると、オペレータは、出射率関数の各形状タイプについて、入力項目の指定を行うことができる。これによって、出射率関数の形状を微調整して、露光ムラを適切に緩和することが可能となる。具体的には、出射率関数の形状タイプとして階段型を選択した場合、オペレータは、変化部分の幅をさらに指定することができる。これによって、例えば、重ね合わせ部分の幅を微調整することが可能となり、露光ムラを適切に緩和できる。また、出射率関数の形状タイプとして階段型を選択した場合、オペレータは、変化部分における出射率をさらに指定することができる。これによって、例えば、重ね合わせ部分における描画光の光量を微調整することが可能となり、露光ムラを適切に緩和できる。また、出射率関数の形状タイプとして台形型を選択した場合、オペレータは、代表位置の出射率をさらに指定することができる。これによって、例えば、重ね合わせ部分における描画光の光量を微調整することが可能となり、露光ムラを適切に緩和できる。
【０１２５】
また、上記の実施の形態によると、複数の形状タイプ候補を一覧表示した受付画面９が表示され、当該受付画面９を介して、選択操作が受け付けられる。したがって、オペレータは、複数の形状タイプ候補のいずれかを選択する選択操作を、特に簡易に行うことができる。
【０１２６】
また、上記の実施の形態によると、受付部８０１がオペレータから受け付けた情報が、描画処理の処理条件と対応付けて登録される。したがって、同じ処理条件について、オペレータが改めて出射率関数の形状タイプを選択する選択操作を行わなくとも、描画光の、長幅方向に沿う光量の分布を、境界部分の露光ムラを緩和できるような適切な形状に調整することができる。
【０１２７】
＜５．変形例＞
上記の実施の形態において、出射率関数の形状タイプが台形型の場合、上述したとおり、帯状領域が重なり合う部分のうち、下層部分の露光は中央部分Ｃ１を挟んで一方側の変化部分Ｃ２に配置されている変調単位４４２が担当し、上層部分の露光は他方側の変化部分Ｃ２に配置されている変調単位４４２が担当する。そこで、図１８に例示されるように、受付画面９において、出射率関数の形状タイプとして台形型が選択された場合、形状表示領域９４に、一方の変化部分Ｃ２（実線）に、他方の変化部分Ｃ２（破線）を重ね合わせて表示してもよい。また、この一方の変化部分Ｃ２と他方の変化部分Ｃ２とを加算した関数をさらに表示してもよい。これらの構成によると、帯状領域が重なり合う部分に与えられる光量が、直観的に把握できるので、オペレータが、各代表位置の出射率の適正値（すなわち、変化部分Ｃ２の変化の態様）を適切に決定することができる。
【０１２８】
また、上記の実施の形態に係る階段型の出射率関数に関する入力項目、あるいは、台形型の出射率関数に関する入力項目は、必ずしも上述したものに限らない。例えば、台形型の出射率関数に関する入力項目として、代表位置の出射率に加えて（あるいは、これに代えて）、変化部分Ｃ２の幅ｄ２が追加されてもよい。また、代表位置は、必ずしも変化部分Ｃ２を等分割する位置に固定されている必要はなく、入力項目として代表位置の指定を受け付ける項目が追加されてもよい。また、代表位置の個数を、オペレータが任意に指定できる構成としてもよい。
【０１２９】
また、入力項目は必ずしも設ける必要はなく、形状タイプの選択操作だけを受け付ける構成としてもよい。
【０１３０】
また、上記の実施の形態においては、形状タイプ候補として、階段型と矩形型が例示されていたが、これらに加えて（あるいは、これらに代えて）、別の形状タイプ（例えば、正規分布型の形状タイプなど）が含まれてもよい。
【０１３１】
また、出射率調整部４００は、各空間光変調器４４１が備える一群の変調単位４４２のキャリブレーションを、所定のタイミングで行って、各変調単位４４２にて所期の出射率が実現されるように担保することも好ましい。キャリブレーションを行うタイミングとしては、例えば、処理条件が変更されるタイミング、あるいは、前回キャリブレーションを行ってから所定枚数の基板Ｗの処理が行われたタイミング、あるいは、前回のキャリブレーションを行ってから所定の時間が経過したタイミング、などが好ましい。
【０１３２】
また、上記の実施形態では、空間光変調器４４１として回折格子型の空間光変調器が用いられていたが、例えば、ミラーのような変調単位が一次元に配列されている空間光変調器などが利用されてもよい。
【符号の説明】
【０１３３】
１  描画装置
４０  光学ユニット
４００  出射率調整部
４０１  光源部
４０２  ヘッド部
４４１  空間光変調器
４４２  変調単位
８０  制御部
８００  形状登録部
８０１  受付部
８０２  登録部
９  受付画面
９１  形状タイプ選択領域
９２  階段型の入力項目領域
９３  台形型の入力項目領域
９４  形状表示領域
９５  登録アイコン
１００  調整部
Ｗ  基板
【図１】
2014066954.tif 000003
【図２】
2014066954.tif 000004
【図３】
2014066954.tif 000005
【図４】
2014066954.tif 000006
【図５】
2014066954.tif 000007
【図６】
2014066954.tif 000008
【図７】
2014066954.tif 000009
【図８】
2014066954.tif 000010
【図９】
2014066954.tif 000011
【図１０】
2014066954.tif 000012
【図１１】
2014066954.tif 000013
【図１２】
2014066954.tif 000014
【図１３】
2014066954.tif 000015
【図１４】
2014066954.tif 000016
【図１５】
2014066954.tif 000017
【図１６】
2014066954.tif 000018
【図１７】
2014066954.tif 000019
【図１８】
2014066954.tif 000020